(57)【特許請求の範囲】
【請求項１】
地上アナログ放送及び地上デジタル放送を受信可能なテレビジョン装置の地上デジタル放送用チャンネルプリセット方法において、
地上アナログ放送チャンネルマップの放送系列をもとに、リモコン番号と地上デジタル放送の放送系列の受信チャンネルとを対応させた地上デジタル放送チャンネルマップを作成し、地上アナログ放送と同じリモコン番号で系列局を選局する設定が行われた場合には、前記地上デジタル放送チャンネルマップを用いて、地上アナログ放送のリモコン番号と同じリモコン番号で同系列局の地上デジタル放送チャンネルの選局を行うことを特徴とする地上デジタル放送用チャンネルプリセット方法。
【請求項２】
請求項１記載の地上デジタル放送用チャンネルプリセット方法において、
前記地上アナログ放送チャンネルマップが地域別地上アナログ放送チャンネルマップを含み、また、前記地上デジタル放送チャンネルマップが地域別地上デジタル放送チャンネルマップを含んでおり、地域情報を指定することにより、特定地域の地上アナログ放送チャンネルマップから放送系列をもとに、特定地域の地上デジタル放送チャンネルマップを作成し、地上アナログ放送と同じリモコン番号で系列局を選局する設定が行われた場合には、前記特定地域の地上アナログ放送と同じリモコン番号で、特定地域の地上アナログ放送のリモコン番号と同じリモコン番号で同系列局の地上デジタル放送チャンネルの選局を行うことを特徴とする地上デジタル放送用チャンネルプリセット方法。
【請求項３】
地上アナログ放送チャンネルマップ情報記憶手段と地上デジタル情報チャンネルマップ情報記憶手段とリモコン番号設定使用情報記憶手段とデジタル放送用地域情報記憶手段とチャンネルマップ情報保存手段と制御手段とを備えた地上デジタル放送用チャンネルプリセット装置において、
前記制御手段が、リモコン番号設定使用情報とデジタル放送用地域情報とを入力されて、地上アナログ放送チャンネルマップ情報と地上デジタル情報チャンネルマップ情報とを参照して、地上アナログ放送チャンネルマップの放送系列をもとに、リモコン番号と地上デジタル放送の放送系列の対応する受信チャンネルとを対応させた新たな地上デジタル放送チャンネルマップを作成し、前記チャンネルマップ情報保存手段に保管し、地上アナログ放送と同じリモコン番号で系列局を選局する設定が行われた場合には、地上アナログ放送のリモコン番号と同じリモコン番号で同系列局の地上デジタル放送チャンネルの選局を行うことを特徴とする地上デジタル放送用チャンネルプリセット装置。
【請求項４】
請求項３記載の地上デジタル放送用チャンネルプリセット装置において、
更に、アナログ放送用地域情報記憶手段を備え、
地上アナログ放送用地域情報が設定されていない場合には、地上デジタル放送での地域情報からアナログ放送での地域情報を特定し、前記地域情報を前記アナログ放送用地域情報記憶手段に記憶することを特徴とする地上デジタル放送用チャンネルプリセット装置。
【請求項５】
地上アナログ放送及びデジタル放送を受信可能なテレビジョン装置の地上デジタル放送用チャンネルプリセット装置において、
放送系列の系列局情報を含んだ各地域チャンネルマップを記憶する記憶手段と、
前記地上デジタル放送のチャンネル設定時に、現在のデジタル放送用地域情報と前記地上アナログ放送のリモコン番号設定とを使用するかどうかの情報を入力する入力手段と、
前記入力手段が入力した情報が使用することを示す情報であった場合は、現在の地域情報からアナログ放送用地域情報を特定して、地上アナログ放送の放送系列に地上デジタル放送の受信チャンネルを組み合わせて新しい地上デジタル放送チャンネルマップを作成する作成手段と、を備え、
前記作成手段で作成された新しい地上デジタル放送チャンネルマップを用いて、地上アナログ放送と同じリモコン番号で系列局を選局する設定が行われた場合には、地上アナログ放送のリモコン番号と同じリモコン番号で同系列局の地上デジタル放送チャンネルの選局を行うことを特徴とする地上デジタル放送用チャンネルプリセット装置。
【発明の詳細な説明】
【技術分野】
【０００１】
本発明は、地上デジタル放送用チャンネルプリセット方法及び装置に関し、とくに、地上アナログ用チャンネルのリモコン番号で、地上デジタル放送の同系列局を視聴することができる地上デジタル放送用チャンネルプリセット方法及び装置に関する。
【背景技術】
【０００２】
特許文献１には、リモコンの各放送局の系列名ボタンが押されると本体側ではこの系列局情報から予め設定されている地域コードのチャンネルデータを検索し、該当チャンネルを選局する映像機器が記載されている。
【特許文献１】特開２００５−６０５８号公報
【発明の開示】
【発明が解決しようとする課題】
【０００３】
しかしながら、従来技術の場合には、地上アナログ放送からデジタル放送になると、リモコンに各放送局の系列名ボタンを増やさなければならず、ボタン数が増えるため、ユーザーにとって使いにくいという問題があった。
【０００４】
本発明は、地上アナログ放送からデジタル放送になってチャンネルプリセットが変わっても、難しい操作なしで使い慣れたリモコン番号で同系列局放送を視聴できるようにすることを目的とする。
【課題を解決するための手段】
【０００５】
本発明は、地上アナログ、デジタル放送の両方を受信できるテレビジョン装置であって、系列局情報を含んだ各地域チャンネルマップを記憶しており、地上Ｄ（デジタル）放送のｃｈ（チャンネル）設定時に、現在のデジタル放送用地域情報と、地上アナログ放送のリモコン番号設定を使用するかどうかの情報を入力し、情報が使用するであった場合は、現在の地域情報からアナログ放送用地域情報を特定して、地上アナログ放送の放送系列に地上デジタル放送の受信ｃｈを組み合わせて新しい地上デジタル放送ｃｈマップを作成して、設定する。
【発明の効果】
【０００６】
本発明によれば、アナログ放送からデジタル放送へ移行し、ｃｈ設定が変更されリモコン番号が変わっても、自ら面倒な設定をすることなく、従来と同じリモコン番号で同じ系列局の選局が可能となる。
【発明を実施するための最良の形態】
【０００７】
以下、図面を用いて、本発明の実施の形態について説明する。
【実施例】
【０００８】
図１に、本発明の実施例である地上デジタル放送用チャンネルプリセット装置のブロック図を示す。
図１において、１は地域別地上Ａ（アナログ）放送チャンネルマップ情報記憶手段、２は地域別地上Ｄ（デジタル）放送チャンネルマップ情報記憶手段、３はリモコン番号設定使用情報記憶手段、４はデジタル放送用地域情報記憶手段、５はチャンネルマップ情報保存手段、６はマイクロコンピュータ、７はアナログ放送用地域情報記憶手段、８はアナログ放送用地域情報取得手段、９はユーザー情報入力手段、１０は選局手段、１１は表示手段である。
【０００９】
地域別地上Ａ放送チャンネルマップ情報記憶手段１には、地域別地上Ａ放送チャンネルマップ情報ａが記憶されており、地域別地上Ｄ放送チャンネルマップ情報記憶手段２には、地域別地上Ｄ放送チャンネルマップｂが記憶されている。
また、リモコン番号設定使用情報記憶手段３にはリモコン番号設定使用情報ｃが記憶され、デジタル放送用地域情報記憶手段４にはデジタル放送用地域情報ｄが記憶され、チャンネルマップ情報保存手段５にはチャンネルマップ情報ｅが保存される。
また、アナログ放送用地域情報記憶手段７にはアナログ放送用地域情報ｇが記憶され、アナログ放送用地域情報取得手段８にはアナログ放送用地域情報ｈが記憶される。
更に、ユーザー情報入力手段９によりユーザー情報９が入力され、選局手段１０により選局がなされ、放送画像が表示手段１１により表示される。そして、各手段はマイクロコンピュータ６により制御される。
【００１０】
表１は、地上デジタル放送チャンネルマップである。表１の地上デジタル放送チャンネルマップｂは、図１の地域別地上Ｄ放送チャンネルマップ情報記憶手段２に記憶されている。
【表１】
0004557868.tif 000002
【００１１】
表２は、地上アナログ放送チャンネルマップである。表２の地上アナログ放送チャンネルマップａは、図１の地域別地上Ａ放送チャンネルマップ情報記憶手段１に記憶されている。
【表２】
0004557868.tif 000003
【００１２】
表３は、地上デジタル放送新規チャンネルマップである。表３の地上デジタル放送新規チャンネルマップｅは、図１のチャンネルマップ情報保存手段５に保存される。
【表３】
0004557868.tif 000004
【００１３】
地上デジタル放送新規チャンネルマップを作成する場合には、地上アナログ放送チャンネルマップａ（表２）と地上デジタル放送チャンネルマップｂ（表２）から、地上Ａのリモコン番号に対応した新しい地上Ｄ放送チャンネルマップｅ（表３）を作成して、チャンネルマップ情報保存手段５に保存する。
上記の表１及び表２のように、地域別チャンネルマップには、放送系列である系列局情報が含まれているものとする。地上Ｄ放送のｃｈ設定時に、デジタル放送用地域情報記憶手段１に記憶されている現在のデジタル放送用地域情報ｄと、地上アナログ放送のリモコン番号設定を使用するかどうかのリモコン番号設定使用情報ｃを入力する。リモコン番号設定使用情報ｃが、地上アナログ放送のリモコン番号設定を使用することを示す情報であった場合には、現在のデジタル放送用地域情報ｄからアナログ放送用地域情報取得手段８に記憶されているアナログ放送用地域情報ｈを特定して、地上アナログ放送の放送系列に地上デジタル放送の受信チャンネルを組み合わせて新しい地上デジタル放送チャンネルマップを作成し、チャンネルマップ情報保存手段５に保存する。
【００１４】
図２は、本発明の実施例の新規データマップ作成フローチャート図を示す。
図２において、ステップ２１において、新規データマップ作成フローがスタートすると、ステップ２２において、リモコン番号Ｒ１が１に設定される。次いで、ステップ２２において、地上Ａにおいてリモコン番号Ｒ１に対応した放送系列Ｋ１を取得する（具体的には、表２の地上アナログ放送チャンネルマップにおいて、リモコン番号１に対応した放送系列「ＮＨＫ（登録商標）総合」を取得する）。
【００１５】
次いで、ステップ２３において、地上Ｄにおいて地上Ａと同一の放送系列Ｋ１があるかどうかの確認を行う（具体的には、表１の地上デジタル放送チャンネルマップにおいて、「ＮＨＫ総合」があるかどうかの確認を行う）。次いで、ステップ２４において、地上Ｄにおいて地上Ａと同一の放送系列Ｋ１がある場合には、地上Ｄにおいて放送系列Ｋ１に対応した受信チャンネルＣ２を取得する（具体的には、表１の地上デジタル放送チャンネルマップにおいて、「ＮＨＫ総合」がある場合には、「ＮＨＫ総合」に対応した地上Ｄ受信チャンネル「２７」を取得する。次いで、ステップ２５において、ｅのチャンネルマップのリモコン番号Ｒ１の受信チャンネルＣ３にＣ２を保存する（具体的には、表３の地上デジタル放送新規チャンネルマップのリモコン番号１の受信ｃｈに「ＮＨＫ総合」に対応した地上Ｄ受信チャンネル「２７」を保存して、ステップ２６に移行する。
【００１６】
ステップ２３において、地上Ｄにおいて地上Ａと同一の放送系列Ｋ１が無い場合には、ステップ２６にジャンプする。ステップ２６において、リモコン番号Ｒ１がＭＡＸ値かどうかの確認を行い、ＭＡＸ値の場合には、ステップ２７に移行して処理を終了する。また、ＭＡＸ値でない場合には、リモコン番号を歩進（Ｒ１＝Ｒ１＋１）させてステップ２２に移行して、次のリモコン番号について同様な処理を繰り返す。
【００１７】
図３に、地上アナログ、地上デジタル放送地域情報設定方法を示す。
図２に示された新規データマップ作成フローにより、特定の地域に対応した地上デジタル放送新規チャンネルマップを作成することが可能であるが、図３の設定方法により、地上アナログ、地上デジタル放送の特定地域をどのように設定するかというフローチャートが示される。
【００１８】
図３の地上アナログ、地上デジタル放送地域情報設定方法において、ステップ３１において、地上デジタル放送受信チャンネルの設定をスタートすると、ステップ３２において、地上デジタル放送用の地域設定情報を入力する。（例えば、現在のＡＱＵＯＳ（登録商標）では都道府県名（北海道などはそこからさらに地域）、郵便番号を入力することになっている。）次に、ステップ３３において、地上Ｄ地域情報ｄをデジタル放送用地域情報記憶手段に記憶する。
【００１９】
次いで、地上アナログ放送と同じリモコン番号で系列局を設定するかどうかの情報を入力する。ステップ３４において、同じリモコン番号で設定するかどうかの判定がおこなわれ、同じリモコン番号で設定しない場合は、ステップ３８に移行して終了する。
同じリモコン番号で設定する場合には、ステップ３５に移行し、ステップ３５において、アナログ放送用地域設定情報が設定されているかどうかの判定がなされる。アナログ放送用地域設定情報が設定されていればそれを使用し、設定されていなければ、ステップ３６に移行し、ステップ３８において、地上デジタル放送用の地域情報からアナログ放送用地域情報を特定して設定する。
【００２０】
このアナログ放送用地域情報の特定方法としては、デジタル放送用の地域設定情報に郵便番号が含まれていれば、郵便番号とアナログｃｈ地域コードの対応表を予め内部に保存しておき、それと照らしあわせて特定し、郵便番号が含まれておらず、都道府県名もしくはさらに地域名が設定されていれば、その情報とアナログｃｈ地域コードの対応表を予め内部に保存しておき、それと照らしあわせて特定する（もし、複数の地域コードが考えられるような場合はそれら地域コードと地域名を画面上に出し、ユーザーに選択してもらえばよい）といった方法が考えられる。
次いで、ステップ３７において、地上アナログ放送用地域情報ｇを、アナログ放送用地域情報記憶手段７に保存し、ステップ３８において処理を終了する。
【図面の簡単な説明】
【００２１】
【図１】図１は、本発明の実施例である地上デジタル放送用チャンネルプリセット装置のブロック図である。
【図２】図２は、本発明の実施例の新規データマップ作成のフローチャートである。
【図３】図３には、地上アナログ、地上デジタル放送の地域情報の設定方法を示すフローチャートである。
【符号の説明】
【００２２】
１    地域別地上Ａ（アナログ）放送チャンネルマップ情報記憶手段
２    地域別地上Ｄ（デジタル）放送チャンネルマップ情報記憶手段
３    リモコン番号設定使用情報記憶手段
４    デジタル放送用地域情報記憶手段
５    チャンネルマップ情報保存手段
６    マイクロコンピュータ
７    アナログ放送用地域情報記憶手段
８    アナログ放送用地域情報取得手段
９    ユーザー情報入力手段
１０    選局手段
１１    表示手段である。
【図１】
0004557868.tif 000005
【図２】
0004557868.tif 000006
【図３】
0004557868.tif 000007